【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
キー板を有する、石けんなどの分与器のハウジング内に挿入される容器のためのユニバーサルカラーキーであって、
ａ）前記容器に支持されるようにされたカラーを包含し、前記カラーがこのカラーからそれぞれ半径方向に延びている第１のフランジと第２のフランジとを有し、
ｂ）前記第１及び第２のフランジが、前記容器の挿入によりそれらの間に前記キー板を受け入れるクリアランスを画成するように互いに軸方向に間隔を置いているユニバーサルカラーキー。
【請求項２】
請求項１記載のユニバーサルカラーキーにおいて、前記カラーが前記ハウジング内に最初に挿入される前端を有し、前記第１及び第２のフランジの少なくとも一方が前記前端にノッチを画成しているユニバーサルカラーキー。
【請求項３】
請求項１記載のユニバーサルカラーキーにおいて、前記第１及び第２のフランジがほぼ水平の方向とされているユニバーサルカラーキー。
【請求項４】
請求項１記載のユニバーサルカラーキーにおいて、前記第１及び第２のハウジングの少なくとも一方が前記カラーから後方にかつ横外向きに延びている後部分を有し、これにより、前記後部分が前記カラーの移動を制限するように前記ハウジングと係合可能な縁を有しているユニバーサルカラーキー。
【請求項５】
請求項１記載のユニバーサルカラーキーにおいて、更に、前記カラーに形成されて前記容器の一部分を受け入れる穴と、この穴のまわりに配設された取り付け組立体とを包含し、前記取り付け組立体が前記カラーから軸方向外向きに延びている取り付け部材を包含し、前記取り付け部材がこの取り付け部材から半径方向内向きに延びて前記容器の一部分と係合する表面を有しているユニバーサルカラーキー。
【請求項６】
請求項５記載のユニバーサルカラーキーにおいて、前記取り付け部材が、更に、前記半径方向内向きに延びている表面から前記取り付け部材の縁にまで半径方向外向きにかつ軸方向上向きに延びている傾斜表面を有しているユニバーサルカラーキー。
【請求項７】
請求項６記載のユニバーサルカラーキーにおいて、更に、前記カラーから前記穴内に延びていると共に前記取り付け部材の前記半径方向内向きに延びている表面から軸方向に間隔を置いている第２の半径方向内向きに延びている表面を包含し、これにより、前記容器の一部分が２つの前記表面間に保持されているユニバーサルカラーキー。
【請求項８】
請求項１記載のユニバーサルカラーキーにおいて、更に、前記カラーに形成されているホルダを包含しているユニバーサルカラーキー。
【請求項９】
請求項８記載のユニバーサルカラーキーにおいて、前記ホルダが前記カラーから前方に延びている一対の垂直に延びているタブから成っているユニバーサルカラーキー。
【請求項１０】
請求項１記載のユニバーサルカラーキーにおいて、前記カラーが前記容器の頸部を受け入れる穴を画成し、また、複数の間隔を置いているタブが前記穴のまわりに前記カラーから上向きに延びてそれらの間に複数のノッチを画成し、これらのノッチがそれらの間に前記容器の突出部分を受け入れるようにしているユニバーサルカラーキー。
【請求項１１】
請求項１０記載のユニバーサルカラーキーにおいて、前記カラーが前記ハウジング内へのその挿入に関して前方となる前面を有し、前記複数のタブ間に形成されている前記複数のノッチの少なくともひとつが前記前面に配置されているユニバーサルカラーキー。
【請求項１２】
容器用くぼみとキー板を有するレシーバとを画成するハウジングを有している、石けんなどの分与器の中に、頸部分を有する中空の本体と前記頸部分から後方に延びている位置決め突出部とを有する容器を固定するように前記容器と関連して用いられるユニバーサルカラーキーにおいて、
内部に前記容器の前記頸部分を受け入れ可能な穴を画成するカラーと、このカラーからそれぞれ後方に延びている一対のフランジであって、それらの間に前記キー板を受け入れるように互いに軸方向に間隔を置いている一対のフランジと、前記カラーに形成されて、前記容器の前記位置決め突出部を受け入れるノッチとを包含し、前記ノッチ内への前記位置決め突出部の挿入が前記容器をユニバーサルカラーキーに関して整列せしめているユニバーサルカラーキー。
【請求項１３】
請求項１２記載のユニバーサルカラーキーにおいて、前記カラーを前記容器の前記頸部分にスナップ係合することによりユニバーサルカラーが取り付けられているユニバーサルカラーキー。
【請求項１４】
取り外し可能な容器と、この容器と流体連通しているポンプと、前記容器を受け入れるくぼみとキー板を有するレシーバとを画成するハウジングと、前記容器に取り付けたユニバーサルカラーキーとを包含し、前記ユニバーサルカラーキーが前記ハウジングに関してそれぞれ後方に延びている第１のフランジと第２のフランジとを有し、これらの第１及び第２のフランジがそれらの間に前記キー板を受け入れるクリアランスを画成するように互いに軸方向に間隔を置いており、前記ハウジング内への前記容器の挿入により、前記第１及び第２のフランジが前記キー板の両端で前記レシーバと軸方向に係合して、前記容器を前記ハウジング内に軸方向に固定している分与器。
【請求項１５】
請求項１４記載の分与器において、前記レシーバが前記キー板に関して軸方向外向きに延びている位置決めタブを包含し、前記第１及び第２のフランジの対応部分が前記位置決めタブを受け入れるノッチを画成している分与器。
【手続補正２】
【補正対象書類名】明細書
【補正対象項目名】全文
【補正方法】変更
【補正の内容】
【発明の詳細な説明】
【発明の名称】ユニバーサルカラーキー
【技術分野】
【０００１】
本発明は、一般には、分与しようとする製品で充填されている容器が内部に収容されているハウジングを有する分与器に関する。詳細には、本発明は、容器を特有の分与器に組み合わせるキー止め装置を用いる分与器に関する。より詳細には、本発明は、任意のキー止め装置が多種の分与器のハウジングに関連するにもかかわらず、容器に取り付けることができて、容器をこれらのハウジングに挿入することを可能とするユニバーサルカラーキーに関する。
【背景技術】
【０００２】
分与器は、とりわけ、ローション又は石けんのような流体及び粉末を分与するために一般に用いられている。説明を簡略にするために、すべての分与可能な製品は、本明細書では、総括して“石けん”と称することにする。これらの分与器は、一般には、分与しようとする石けんを収容する袋又はびんのような容器が内部に挿入されているハウジングを包含する。石けんを貯蔵する見地から、ハウジング内の容積の使用を最大にするために、容器はしばしば特有のハウジングと適合するような大きさ又は形状とされる。特有の容器が特有のハウジングと一緒に用いられることを保証するために、容器をそれらの特有のハウジングにキー止めする装置が開発されている。
【０００３】
このようなキー止め装置のひとつの形は、容器に取り付けられるカラーキーを包含し、これらのカラーキーは容器をハウジング内に固定するようにハウジング内のレシーバと相互に作用する。容器をハウジングに組み合わせるために、カラーキーはその表面から外向きに延びている突出キーを有し、この突出キーはレシーバに形成した対応するキー溝と適合するように配設されている。例えば、容器は外向きに突出する垂直リブの形のキーを包含するカラーキーを有することができる。対応するハウジングは、この垂直リブを受け入れるような大きさとされた垂直方向スロットの形のキー溝を有する。キーの形状、大きさ又は位置を変更することにより、容器は特有のハウジングにのみ適合するように作られている。製作の見地から、これはひとつの特有の容器がひとつの特有のハウジングと一緒に用いられることを保証する。使用者の見地から、これは使用者が適正な交換容器を注文することを可能とし、またその保守スタッフが特有の容器を特有のハウジング内に挿入することを保証する。
【０００４】
これらの利点にもかかわらず、分与器の急増は消費者が幾つかの異なる分与器を所有することを生じせしめており、これらの異なる分与器の各々は特有のキーを備える異なる容器を必要とするものである。その結果として、これらの消費者は幾つかの異なるキーを備えている容器を買ってしまう事態に直面してしまう。これらの分与器のハウジングのすべてに適合するような単一の容器を買うことは分与器の多少の容積の損失を生じせしめるけれども、消費者にとっては、ユニバーサル容器を備えることにより容器の蓄え及び交換を簡単にできることは望まれるものであると思われる。これらの分与器のすべてに収容することができる特有の大きさの容器を買うことはさておき、分与器内への容器の適当な挿入及び固定を提供するためには、単一の容器を多種の分与器のハウジングに用いることを可能とするカラーキーが必要とされる。
【発明の開示】
【発明が解決しようとする課題】
【０００５】
上述したことに鑑み、本発明の目的は、単一の容器を多種の分与器のハウジングに取り付けて用いることができるユニバーサルカラーを提供することにある。
【０００６】
この目的に照らして、本発明は、カラーを包含し、このカラーが、底部縁と、前記カラーの少なくとも前部分で前記底部縁から半径方向外向きに延びている第１のフランジと、前記カラーから半径方向外向きに延びていると共に、前記第１のフランジとの間に前記分与器内のキー板を受け入れるクリアランスを画成するように前記第１のフランジとは軸方向に間隔を置いている第２のフランジとを有しているユニバーサルカラーキー、を提供する。
【０００７】
本発明は、また、容器用くぼみを画成すると共に、キー板を包含するレシーバを有するハウジングを有している、石けんなどの分与器の中に、頸部分を有する中空の本体と前記頸部分から後方に延びている位置決め突出部とを有する容器を固定するように前記容器と関連して用いられるユニバーサルカラーキーにおいて、
内部に前記容器の前記頸部分を受け入れ可能な穴を画成するカラーと、このカラーからそれぞれ後方に延びている一対のフランジであって、それらの間に前記キー板を受け入れるように互いに軸方向に間隔を置いている一対のフランジと、前記カラーに形成されて、前記容器の前記位置決め突出部を受け入れるノッチとを包含し、前記ノッチ内への前記位置決め突出部の挿入が前記容器をユニバーサルカラーキーに関して整列せしめているユニバーサルカラーキー、を提供する。
【０００８】
本発明は、更に、取り外し可能な容器と、この容器と流体連通しているポンプと、前記容器を受け入れるくぼみとキー板を有するレシーバとを画成するハウジングと、前記容器に取り付けたユニバーサルカラーキーとを包含し、前記ユニバーサルカラーキーが前記ハウジングに関してそれぞれ後方に延びている第１のフランジと第２のフランジとを有し、これらの第１及び第２のフランジがそれらの間に前記キー板を受け入れるクリアランスを画成するように互いに軸方向に間隔を置いており、前記ハウジング内への前記容器の挿入により、前記第１及び第２のフランジが前記キー板の両端で前記レシーバと軸方向に係合して、前記容器を前記ハウジング内に軸方向に固定している分与器、を提供する。
【発明を実施するための最良の形態】
【０００９】
符号１０により総括的に示されている分与器が、図面の図１に示されている。種々の分与器が当業界において広く利用できるものであり、図１に示されている分与器１０は一例にすぎない。分与器１０は、一般に、石けんを保持する袋又はびんのような容器２０（図２）を収容するハウジング１１を包含する。ハウジング１１は、空となった容器２０の交換を容易にするためにクラムシェルのような手段で互いに解放可能に取り付けることができるベース１１ａとカバー１１ｂとを包含することができる。そして、ベース１１ａのくぼみ１５の底部面１４には複数の壁掛け用穴１３を設けることができる。
【００１０】
図２に示されるように、ベース１１ａはくぼみ１５を画成することができ、このくぼみ内には容器２０の少なくとも一部分が受け入れる。ベース１１ａは、更に、シェルフ１７を包含することができ、このシェルフは容器２０の頸部２１の両側で容器２０の下に延びている一対の肩部の形とすることができる。
【００１１】
符号２５により総括的に示されているポンプは、典型的には、容器２０から石けんを分与するために、容器２０に取り付けられているか又は容器２０と一体に形成されている。図示されるように、ポンプ２５は一対の肩部１７間で容器２０から下向きに延びることができる。図３及び図４を参照するに、ポンプ２５は、例えば、ねじ付きキャップ２２により、容器２０から下向きに延びている頸部２１で容器２０に取り付けることができ、キャップ２２はポンプ２５に嵌合して頸部２１に螺合する。図示されるように、ポンプ２５は、キャップ２２から半径方向内向きに延びている肩部２３に載っている環状リブ２６を包含することができる。ポンプ２５のノズル２７は、キャップ２２から軸方向外向きに突出し、図示の例においては、上向きに動かされて、石けんを容器２０から分与せしめる。
【００１２】
再び図２を参照するに、ノズル位置決めバー２８がこのバーに形成したくぼみ２９内にノズル２７を受け入れるためにベース１１ａの底部末端に用いられていることを見ることができる。ポンプ２５のノズル２７を軸方向内向きに駆動せしめて、石けんを容器から吐出せしめることを可能とするために、位置決めバー２８は、ノズル２７と一緒に移動可能であって、軸方向に滑動可能に作ることができ、及び／又は、図示されるように、ばねに取り付けることができる。この方法において、位置決めバー２８と相互作用するハンドル１２（図１）は、ノズル２７を動かして石けんを容器２０から分与せしめるために用いることができる。図示の例において、ハンドル１２はカバー１１ｂに枢動可能に取り付けられ、またハンドル１２は後方に延びているアーム（図示せず）を包含し、このアームが位置決めバー２８に係合してノズル２７を垂直方向に動かし、ポンプ２５を駆動せしめる。
【００１３】
レシーバ３０は、位置決めバー２８の上方に設けられて、一般に、カラーキーを受け入れるように工夫されている。上述したように、既存の分与器は所定の容器２０とハウジング１１との間の独特の取り付けを保証するためにカラーキーを用いている。典型的には、カラーは突出キーを担持し、レシーバ３０は所定のカラーキーに対して特別のキー溝を画成する。例えば、図２に示されるレシーバ３０は、一例として垂直スロットの形のキー溝Ｋを備えて示されている。組み合うカラーキーは、このカラーキーから突出する垂直キーを有するように作られ、このキーはレシーバ３０のキー溝Ｋと適合する。理解されるように、多種の容器２０及びハウジング１１をキー止めするためには、多種のキー溝構成が個々のレシーバ３０のために定められる。
【００１４】
以上のことを考慮に入れて、本発明の概念によるユニバーサルカラーキーは、図面に符号４０により総括的に示されている。ユニバーサルカラーキー４０を詳細に説明する前に、ここにおいて用いる用語“ユニバーサル”とは、ひとつ以上のレシーバ３０と一緒に使用することができるカラーキーの機能を意味することを理解すべきである。
【００１５】
再びレシーバ３０に戻るに、レシーバ３０は、カラーキー４０を受け入れるような形状とされているキー板３１を包含することができ、例えば図２に示されているように、半円形の開口を画成するＣ形のキー板３１を有することができ、この半円形の開口の中にカラーキー４０を受け入れることができる。キー板３１は、カラーキーの高さにほぼ相当する高さを有する。シェルフ３２をレシーバ３０に形成することができ、このシェルフはキー板３１の上で後方に延びている。キー板３１のように、シェルフ３２も半円形とすることができる。図示の例において、シェルフ３２は、半円形のくぼみ区域をだいたい形成するようにレシーバ３０の頂部面３３からくぼまされ、シェルフ３２はキー板３１の半径方向外向きに延びている。位置決めタブ３５は、シェルフ３２の中央部分から上向きに延びることができる。一般に、位置決めタブ３５は、容器２０に形成した突出部３４と相互作用することにより、使用者が容器２０をくぼみ１５内に位置決めすることを助けるために用いることができる。図示の例において、突出部３４は、容器２０から後方に延びていると共に容器２０の横方向においてカラーキー４０に隣接して中央に設けられている。容器２０をくぼみ１５内に中心決めするために、使用者は突出部３４をタブ３５間に整列せしめ、それから、突出部３４をシェルフ３２に沿って後方に滑動可能に挿入せしめる。この方法において、シェルフ３２は、また、容器２０のための垂直支持体を提供する。
【００１６】
キーを用いることなしに、容器２０をレシーバ３０に関して位置決めして固定するために、ユニバーサルカラーキー４０は円筒形のカラー４３からそれぞれ延びている第１のフランジ４１と第２のフランジ４２とを包含する。これらのフランジ４１及び４２は、カラー４３から半径方向外向きに延び、突出部３４と同様に、容器２０をくぼみ１５内に位置決めする働きをする。第１のフランジ４１は、カラー４３の底部縁４４で又はこの底部縁の近くでカラー４３から半径方向外向きに延びている。第２のフランジ４２は、レシーバクリアランスＣ（図４）を画成するように第１のフランジ４１から軸方向に間隔を置いている。レシーバクリアランスＣは、レシーバ３０の高さ、すなわち、図示の例において示されているように、キー板３１の高さに相当する。この方法において、カラーキー４１が挿入されると、第２のフランジ４２はキー板３１の上を滑動し、これに対して第１のフランジ４１はキー板３１の下を滑動する。カラー４３の表面上には突出キーがないので、カラーキー４０は、レシーバ３０に用いられているいかなるキー溝Ｋにもかかわらず、キー板３１に対して完全に挿入することができる。第１及び第２のフランジ４１，４２は、容器２０のための支持体を提供し、また更に、容器２０の軸方向移動を制限して、くぼみ１５内への容器２０の適正な取り付けを保証する。
【００１７】
シェルフ３２から上向きに延びている位置決めタブ３５のためのクリアランスを提供するために、ノッチ４５をカラー４３の前面又は前端４６のほぼ中央部で第２のフランジ４２に形成することができる。また、レシーバ３０の下向きに延びている構体との接触を回避するために、同様なノッチ４７を第１のフランジ４１に設けることができる。ノッチ４５，４７の両側におけるフランジ４２，４１の表面は、レシーバ３０の突出部と相互作用することができ、これにより、カラーキー４０の回転を防止して、容器２０を更に固定することができる。
【００１８】
図５を参照するに、第１のフランジ４１がノッチ４５により２つのセグメント４１ａ，４１ｂに分割されていることを見ることができる。更に、第１のフランジ４１は必ずしもカラー４３の全周に延びていない。図５に示されるように、第１のフランジ４１は、ノッチ４５により中断されている１８０°の弧にわたって延びているカラー４３の前半分の範囲内に大体制限することができる。理解されるように、しかしながら、両フランジ４１，４２は、一般に、カラーキー４０の挿入によりレシーバ３０がこれらのフランジ４１，４２間に軸方向に置かれるようにするために、カラー４３から半径方向外向きに突出する任意の形状を有することができる。
【００１９】
上述したように、既存するレシーバ３０に対してカラーキー４０の挿入を容易にするために、フランジ４１，４２は所定のレシーバ３０の構体と適合するような形状とすることができる。例えば、第２のフランジ４２は、半円形のシェルフ（くぼみ）３２内に適合するようにその前縁でわん曲することができる。第１のフランジ４１の縁４８も、同様にわん曲することができ、これにより、両フランジ４１，４２は半円形の前縁を有する。
【００２０】
カラーキー４０の取り扱いを容易にするために、図６に最も良く示されているように、ひとつ又はそれ以上のホルダ４９をカラー４３に形成することができる。これらのホルダ４９は、くぼみ、へこみ又は開口、又は正の突出表面、例えば図示されるように、垂直に延びているタブとすることができる。図示の例において、ホルダ４９はカラー４３から後方に延びていると共に第２のフランジ４２から下向きに延びている。理解されるように、ホルダ４９は、強度を加え、また、カラー４３を把持するための便利な表面を提供してレシーバ３０へのカラーキー４０の取り付けを容易にする。その上、ホルダ４９は、所定の例において、カバー１１ｂ内の表面と相互作用することにより、カラーキー４０を固定するのを助ける。特に、ホルダ４９の垂直表面はカラーキー４０、及びそれ故ポンプ２５の回転を防止するストッパとして働く。同様な方法で、第２のフランジ４２は、縁４２ｂを形成するように横方向及び半径方向外向きに延びている後部分４２ａを有することができ、縁４２ｂはカバー１１ｂと直角に接触してカラーキー４０が回転に抵抗するのを助ける。このような後部分４２ａは任意であることを理解されよう。例えば、フランジ４２は、図７−図１２に示されている他の例のカラーキー１４０において述べるように簡単に円形とすることができる。この他の例のカラーキー１４０については、後で十分に説明する。
【００２１】
特に、押出し容器２０がしばしば当業界において用いられており、流体が容器２０から取り出されるときに、容器２０内の吸引が容器２０の壁を内向きに引っ張り、容器２０を変形せしめる。これが起こったときに、容器が固定されていない場合には、容器の変形がポンプ２５を容器２０に関して回転又はよじらせしめる力を生じせしめる。この容器変形又はポンプのよじれ作用は、更に、ポンプ２５をレシーバ３０に関して軸方向又は横方向に動かすことを生じせしめる。上述した説明からわかることができるように、フランジ４１，４２及びホルダ４９はすべての方向においてカラーキー４０を拘束する働きをなし、その結果、ポンプ２５又は容器２０を追い出す又は動かす上述した力は阻止され、独特なキー及びキー止め装置を必要とすることなしに、容器２０を固定する。
【００２２】
カラーキー４０は、当分野において知られている種々の方法により容器２０に取り付けることができ、この公知の方法にはカラー４３を容器２０の頸部２１に螺合、接着又は溶接により取り付けることが含まれる。図示の例においては、カラーキー４０はポンプ２５の頸部にスナップ係合する。この目的のために、カラー４３はポンプ２５及びキャップ２２を受け入れるような大きさとされた穴５０を画成する。それから、キャップ２２の半径方向に突出するそで部分２２ａがカラーキー４０のスナップ係合の取り付けのために都合よく用いられる。このようなそで部分２２ａに代えて、容器２０の突出する表面を用いることができることを理解されよう。したがって、この特徴の目的のために、そで部分２２ａは容器２０の一部分と見ることができる。この目的のために、カラーキー４０はそで部分２２ａと係合する取り付け部材５１を包含することができる。図示の例においては、一対の取り付け部材５１ａ，５１ｂがカラー４３の頂部縁５３から上向きに突出している。これらの部材５１（５１ａ，５１ｂ）は半径方向内向きに延びている表面５４（図３）を包含し、これらの表面５４は、カラーキー４０が容器２０の頸部２１に対して上向きに付勢された後に、キャップ２２の上に掛止する。この方法により、カラー４３はキャップ２２に掛止する。この方法において、カラー４３の取り付けを容易にするために、軸方向下向きに延びるにつれて半径方向内向きに傾斜する内面５６を、半径方向内向きに突出している表面５４と頂部縁５５との間に設けることができる。この傾斜面５６は、キャップ２２上のカラー４３の滑動を容易にするために、取り付け部材５１及びキャップ２２のいずれか一方のたわみを生じせしめることができる。傾斜面５６がキャップ２２を通り過ぎると、キャップ２２又は取り付け部材５１はそれらの元の形状に戻ることができ、これにより、聞き取れる“クリック”又は“スナップ”音を生じせしめる。
【００２３】
カラーキー４０を容器２０に更に固定するために、第２の半径方向内向きに延びている突出面５７を、カラー４３の内面に形成した、垂直に延びているリブ５８に設けることができる。図３に最も良く示されているように、取り付け部材５１の半径方向内向きに突出している表面５４がキャップ２２の頂部面２２ａの上に位置すると、キャップ２２の下方面２２ｂがこの第２の半径方向内向きに突出している表面５７と当接し、その結果、キャップ２２は表面５４と表面５７との間に捕らえられる。この位置において、リブ５８はキャップ２２及びそれ故容器２０の外周部と接触し、カラーキー４０を容器２０に関して固定する。
【００２４】
上述したように、容器２０はくぼみ１５内への容器の位置決めを容易にする突出部３４を有することができる。これらの突出部３４は、また、容器２０をカラーキー４０に関して適正に方位を合わせるために用いることができる。この正しい方位を提供するために、図５及び図６に最も良く示されているように、一対の取り付け部材５１ａ，５１ｂは突出部３４と対応するくぼみ５９を包含することができる。同様に、これらの取り付け部材５１ａ，５１ｂは互いに間隔を置いてそれらの間にノッチ６１を画成する。くぼみ５９及びノッチ６１の効果は、カラー４３の頂部面５３から軸方向外向きに延びている穴５０の周囲に歯状の環状フランジを形成することにある。上述したように、突出部３４はタブ３５間に受け入れられるためにベース１１ａに向かって後方に延びることができ、したがって、くぼみ５９はカラー４３の前面又は前端４６の中央部に設けることができる。容器２０はしばしば対称に形成されているので、同様なくぼみ５９を前面又は前端４６のくぼみ５９と直径方向に対向して形成することができる。図３に最も良く示されているように、突出部３４はくぼみ５９内に着座する。容器２０へのカラーキー４０の適正な取り付けを容易にするために、ノッチ６１及びくぼみ５９は、図６に示されているように、大きさ又は深さを互いに異なるようにすることができる。この方法により、カラーキー４０は、突出部３４を適正な大きさとしたくぼみ５９内の嵌め込むことにより、迅速に方向決めすることができる。
【００２５】
使用において、カラーキー４０は、上述したように、容器２０に取り付けられるか又は容器２０と一体の形成されている。カラーキー４０を備えている容器２０は、分与器１０のハウジング１１内に配置することができる。容器２０は、種々のハウジング１１のために適当な大きさとされている。同様に、ユニバーサルカラーキー４０は、カラーの特殊のキーと受け入れるように普通に用いられているキー溝Ｋを画成するキー板３１の上下に差し込むのに十分な間隔を互いに置いているフランジ４１，４２でもって、種々のハウジング１１に用いられているキー止め装置を迂回する。キー板３１の平面を越えているフランジ４１，４２の半径方向延長部は、容器２０の好ましくない軸方向移動に対しての確実なストッパを提供し、容器２０を軸方向において適正に配置する働きをする。したがって、使用者は、それから、レシーバ３０に形成されている特殊のキー溝Ｋにかまわずに、ユニバーサルカラーキー４０を備えている容器２０をハウジング１１内に挿入することができる。
【００２６】
本発明の他の実施例が、図７−図１２に示されている。この他の実施例は図１−図６に示した実施例に示されている部品と同じ部品を有しているので、百の位を加えた同じ符号が同じ部品を示すために用いられている。この他の例の分与器は、符号１１０により総括的に示されている。分与器１１０はベース１１１ａを包含し、このベースの中にはポンプ装置１２５が受け入れられる。図７及び図８に示されているように、ポンプ１２５には、分与器１０のレシーバ１３０のいかなるキー止め機構にかかわりなく容器を固定するために、符号１４０により総括的に示されている他の例のカラーキーを設けることができる。上述した実施例と同じように、カラーキー１４０は第１のフランジ１４１と第２のフランジ１４２とを有し、これらのフランジは、レシーバ３０の高さに相当する距離、互いに間隔を置いている。これにより、これらのフランジ１４１，１４２は、容器を軸方向に固定するために、それらの間にレシーバ３０を捕らえることができる。第１のフランジ１４１には、例えばベース１１１ａのガセットＧのような突出構体と適合するように、その前面又は前端１４６の中央部に設けたノッチ１４５を設けることができる。第１のフランジ１４１は、カラーキー１４０の回転がガセットＧ間の接触を生じさせてカラーキー１４０を適正な位置に保持するのに十分な範囲まで前方に延びていることができる。回転を更に防止するために、例えば図示されている垂直リブのようなホルダ１４９が分与器のカバーの構体と係合することができる。
【００２７】
上述した実施例と違って、第２のフランジ１４２の後方部分の縁１４２ｂは、分与器１１０のカバーの空間制限部と接触するように円形又は他の形状を有することができる。
【００２８】
図８−図１２を参照するに、カラーキー１４０はポンプ１２５（図８）に取り付けられるようにされている。この目的のために、カラーキー１４０は穴１５０を画成することができ、この穴はその中にポンプ１２５を受け入れることができる。第２のフランジ１４２から上向きに延びている取り付け部材１５１は内向きに突出しているリブ１５８と関連して用いられるときに、スナップ係合を提供することができる。図１１及び図１２を参照するに、これらのリブ１５８は、取り付け部材１５１の半径方向内向きに突出している表面１５４から軸方向に間隔を置いて、穴１５０の下部分に設けられ、これにより、ポンプ１２５の一部分が表面１５４とリブ１５８との間に捕らえられていることを見ることができよう。ポンプ１２５に取り付けられているカラーキー１４０は、上述した実施例において詳細に述べたように、ポンプ１２５及びそれ故容器の移動を制止する。
【００２９】
本発明の十分及び完全な説明が特許法の規定にしたがって詳述されたけれども、本発明の精神又は特許請求の範囲から逸脱することなしに、種々の変形を行うことができることを理解されよう。
【図面の簡単な説明】
【００３０】
【図１】本発明の概念による分与器の斜視図である。
【図２】図１に示される分与器の一部分の分解斜視図であって、その詳細を示すためにカバーを取り外していると共に石けん容器を分与器ベースから外向きに９０度回転させている。
【図３】容器及び本発明の概念によるユニバーサルカラーキーの一部分の断面図であって、図２の線３−３に沿う断面図である。
【図４】図３と同様な一部断面図であるが、図２の線４−４に沿う断面図である。
【図５】本発明の概念によるユニバーサルカラーキーを前方から見た斜視図である。
【図６】本発明の概念によるユニバーサルカラーキーを後方から見た斜視図である。
【図７】本発明の概念による他の例の分与器の一部分の斜視図であって、本発明の概念による他の例のカラーキーの詳細を示すためにカバーを取り外している。
【図８】図７に示されている上記他の例のカラーキーがポンプに取り付けられていることを示す斜視図である。
【図９】上記他の例のカラーキーの平面図である。
【図１０】上記他の例のカラーキーの底面図である。
【図１１】図９の線１１−１１に沿う断面図であって、上記他の例のカラーキーの詳細を示す。
【図１２】図９の線１２−１２に沿う断面図である。
【手続補正３】
【補正対象書類名】図面
【補正対象項目名】図３
【補正方法】変更
【補正の内容】
【図３】
2007508915.tif 000001
【手続補正４】
【補正対象書類名】図面
【補正対象項目名】図５
【補正方法】変更
【補正の内容】
【図５】
2007508915.tif 000002